(57)【要約】【課題】基礎とその内側に打設される土間コンクリートとの境界部分に確実に防蟻剤を配して優れた防蟻効果を得る。【解決手段】基礎１２とその内側に打設される土間コンクリート１８との間に型枠２２を用いて意図的に隙間３０を形成しておき、その隙間３０内に防蟻剤２０を入れる。より好ましくは、予め基礎際の地盤１０に溝１１を形成してその中に防蟻剤２０を入れておき、この防蟻剤２０と前記隙間３０内の防蟻剤２０とを連続させる。前記型枠２２の設置の際には、その型枠２２と基礎内側面１２ａとの間に隙間２３を残しておくことにより、当該型枠２２の除去を容易に行うことができる。【選択図】      図３
2004308353.tif 000002
【特許請求の範囲】
【請求項１】
建物の基礎とその内側に打設される土間コンクリートとの境界部分に防蟻剤を配設する基礎際の防蟻方法であって、前記基礎の内側面に沿って型枠を配し、その内側に流動状態のコンクリートを注入して硬化させることにより前記土間コンクリートを形成する工程と、前記型枠を取り外すことにより前記基礎の内側面と前記土間コンクリートとの間に形成される隙間内に防蟻剤を入れる工程とを含むことを特徴とする基礎際の防蟻方法。
【請求項２】
請求項１記載の基礎際の防蟻方法において、前記型枠を当該型枠と前記基礎の内側面との間に隙間が形成される位置に配し、この型枠の上端よりも前記土間コンクリートの上面が低くなるように当該土間コンクリートの注入高さを設定することを特徴とする基礎際の防蟻方法。
【請求項３】
請求項２記載の基礎際の防蟻方法において、前記型枠を取付治具を介して前記基礎側に支持させることを特徴とする基礎際の防蟻方法。
【請求項４】
請求項１〜３のいずれかに記載の基礎際の防蟻方法において、前記基礎の内側面と前記土間コンクリートとの間に下方に向かうに従って当該基礎の内側面と土間コンクリートとの距離が縮まる形状の隙間が形成されるように前記型枠を配することを特徴とする基礎際の防蟻方法。
【請求項５】
請求項１〜４のいずれかに記載の基礎際の防蟻方法において、前記土間コンクリートを形成する前に、前記基礎の内側面の際の地盤に当該内側面に沿って延びる溝を形成する工程と、その溝内に防蟻剤を入れる工程とを行い、前記土間コンクリートを形成した後に当該土間コンクリートと前記基礎の内側面との隙間に入れられる防蟻剤が前記溝内の防蟻剤と連続するようにしたことを特徴とする基礎際の防蟻方法。
【請求項６】
請求項１〜５のいずれかに記載の基礎際の防蟻方法において、前記土間コンクリートを形成する前に、当該土間コンクリートと前記基礎の内側面との間に形成される隙間の底面を覆う防湿シートを地盤上に敷く工程を行うことを特徴とする基礎際の防蟻方法。
【請求項７】
請求項１〜６のいずれかに記載の基礎際の防蟻方法において、前記土間コンクリートと前記基礎の内側面との隙間に粒状の防蟻剤を入れることを特徴とする基礎際の防蟻方法。
【請求項８】
基礎の内側に土間コンクリートを打設する際に当該基礎の内側面と当該土間コンクリートとの間に隙間を形成するための型枠を前記基礎側に取付けるための型枠取付治具であって、前記基礎の内側面上に着脱可能に取付けられる治具本体と、この治具本体の下部から側方に突出し、前記型枠を保持する形状をもつ型枠保持部とを有することを特徴とする型枠取付治具。
【請求項９】
請求項８記載の型枠取付治具において、前記型枠保持部は、前記型枠の上端部をその表裏両側から挟持する形状を有することを特徴とする型枠取付治具。
【請求項１０】
請求項８または９記載の型枠取付治具において、前記治具本体から前記型枠保持部と反対の側に突出して前記基礎の上面上に載置される上面載置部を有することを特徴とする型枠取付治具。
【請求項１１】
請求項１０記載の型枠取付治具において、前記上面載置部に、前記基礎の上面から突出するアンカーボルトが挿通可能なボルト挿通孔が設けられていることを特徴とする型枠取付治具。
【請求項１２】
基礎とその内側に打設される土間コンクリートとの境界部分に防蟻剤が配設される基礎際の防蟻構造であって、前記基礎の内側面から隙間をおいて当該基礎の内側に土間コンクリートが打設されるとともに、当該隙間の底面を覆うように地盤上に防湿シートが敷かれ、この防湿シートの上から前記隙間内に防蟻剤が入れられていることを特徴とする基礎際の防蟻構造。
【請求項１３】
請求項１２記載の基礎際の防蟻構造において、前記隙間内に粒状の防蟻剤が入れられていることを特徴とする基礎際の防蟻構造。
【請求項１４】
基礎とその内側に打設される土間コンクリートとの境界部分に防蟻剤が配設される基礎際の防蟻構造であって、前記基礎の内側面の際に沿って地盤に溝が形成され、その溝内に防蟻剤が入れられるとともに、前記基礎の内側面から隙間をおいて前記溝の上に土間コンクリートが打設され、当該隙間にも防蟻剤が入れられて前記溝内の防蟻剤と連続していることを特徴とする基礎際の防蟻構造。
【請求項１５】
請求項１４記載の基礎際の防蟻構造において、少なくとも前記溝の底面を覆うように前記地盤上に防湿シートが敷かれ、その上から当該溝内に防蟻剤が入れられていることを特徴とする基礎際の防蟻構造。
【請求項１６】
請求項１４または１５記載の基礎際の防蟻構造において、前記溝内及び前記隙間内に粒状の防蟻剤が入れられていることを特徴とする基礎際の防蟻構造。
【請求項１７】
請求項１６記載の基礎際の防蟻構造において、前記溝の底面は前記基礎の内側面に向かうに従って深くなる向きに傾斜していることを特徴とする基礎際の防蟻構造。
【発明の詳細な説明】
【０００１】
【発明の属する技術分野】
本発明は、住宅等の基礎の内際を防蟻施工するための技術に関するものである。
【０００２】
【従来の技術】
一般に、住宅等の床下部分に防蟻処理を施す方法として、防蟻剤の散布や防蟻シートの敷設が良く行われている。しかし、布基礎や独立基礎とは別にこれと隣接して土間コンクリートを打設する場合には、当該コンクリートの硬化時や硬化後に、基礎と土間コンクリートとの接合部分にそのコンクリート収縮等に起因してクラック（ひび割れ）が発生するおそれがあり、このようなクラックからの白蟻の侵入を前記防蟻剤の散布や防蟻シートの敷設のみで防ぐことは非常に難しい。特に、シロアリは土壌から基礎内側面を伝って地上に到達する場合が多く、基礎際の防蟻処理は非常に重要となる。
【０００３】
そこで、このような基礎際に集中的に防蟻処理を施す方法として、例えば下記の特許文献１には、布基礎と土間コンクリートとの接合部分に沿って当該土間コンクリートの端部上面に溝を形成し、この溝内に防蟻剤を注入して当該溝内を伝わらせるようにした方法が開示されている。
【０００４】
【特許文献１】
特公平７−８６２５１号公報（第２頁，第１図）
【０００５】
【発明が解決しようとする課題】
前記特許文献１に示される方法は、土間コンクリートの上面に溝を形成するものであるため、当該溝の底部にはやはりクラックが生じるおそれがある。このクラックについて、前記特許文献１では、前記溝内に注入された防蟻剤がクラック内に侵入して防蟻効果を発揮する旨の記載がされているが、土間コンクリートに発生するクラックの幅には相当のバラツキがあるため、当該クラック内に十分にムラなく防蟻剤を充填するといったことは難しく、特にクラックの幅が非常に狭い部分にはその中へ防蟻剤を確実に入れることは事実上困難である。
【０００６】
本発明は、このような事情に鑑み、基礎とその内側に打設される土間コンクリートとの境界部分に確実に防蟻剤を配して優れた防蟻効果を得ることができる基礎際の防蟻方法及び防蟻構造を提供することを目的とする。
【０００７】
【課題を解決するための手段】
上記課題を解決するための手段として、本発明は、建物の基礎とその内側に打設される土間コンクリートとの境界部分に防蟻剤を配設する基礎際の防蟻方法であって、前記基礎の内側面に沿って型枠を配し、その内側に流動状態のコンクリートを注入して硬化させることにより前記土間コンクリートを形成する工程と、前記型枠を取り外すことにより前記基礎の内側面と前記土間コンクリートとの間に形成される隙間内に防蟻剤を入れる工程とを含むものである。
【０００８】
この方法によれば、基礎の内側に型枠を配してからその内側（土間側）に流動状態のコンクリートを注入し硬化させて土間コンクリートを形成することにより、この土間コンクリートと前記基礎の内側面との間に好適な寸法をもつ隙間を意図的に形成することができ、この隙間内に防蟻剤を入れることによって、当該防蟻剤を前記基礎内側面と土間コンクリートとの間にムラなく確実に介在させることができる。
【０００９】
ここで、前記型枠は基礎内側面に密着させてもよいのであるが、当該型枠を当該型枠と前記基礎の内側面との間に隙間が形成される位置に配し、この型枠の上端よりも前記土間コンクリートの上面が低くなるように当該土間コンクリートの注入高さを設定するようにすれば、当該土間コンクリートの上面から上側に突出する型枠の上端部を土間側から叩く等して当該上端部に衝撃を与えることにより、当該型枠を前記土間コンクリートから基礎側へ簡単に剥離させることが可能になる。
【００１０】
その場合、前記型枠は地盤上に立てるようにして設置することも可能であるが、この型枠を取付治具を介して前記基礎側に支持させるようにすれば、型枠の設置状態をより安定させることができる。
【００１１】
前記隙間の具体的な形状も特に問わないが、前記基礎の内側面と前記土間コンクリートとの間に下方に向かうに従って当該基礎の内側面と土間コンクリートとの距離が縮まる形状の隙間が形成されるように前記型枠を配すれば、その形成された隙間内により円滑に防蟻剤を入れることが可能になる。
【００１２】
また、前記土間コンクリートを形成する前に、前記基礎の内側面の際の地盤に当該内側面に沿って延びる溝を形成する工程と、その溝内に防蟻剤を入れる工程とを行い、前記土間コンクリートを形成した後に当該土間コンクリートと前記基礎の内側面との隙間に入れられる防蟻剤が前記溝内の防蟻剤と連続するようにすれば、当該溝内から前記隙間にまで連続する好適な防蟻領域を形成することができ、より優れた防蟻効果を得ることができる。
【００１３】
前記隙間の底面（溝を形成する場合には溝の底面）は地盤が露出した状態にしていてもよいが、その底面を覆う防湿シートを地盤上に敷くようにしておけば、この防湿シートによって、土間コンクリートが打設されていない隙間部分すなわち防蟻剤充填部分における防湿も行うことができるとともに、当該防蟻剤と地盤に含まれる水分等との接触によって当該防蟻剤が劣化するのを抑止することができる。
【００１４】
なお、前記防蟻剤は例えば液状のもので注入後に半硬化するようなものでもよいが、粒状の防蟻剤であれば、土間コンクリートが収縮して当該土間コンクリートと基礎内側面との隙間が広がってもこれに前記防蟻剤が追従するため、施工後においても良好な防蟻剤充填状態を継続させることができる。
【００１５】
また本発明は、基礎の内側に土間コンクリートを打設する際に当該基礎の内側面と当該土間コンクリートとの間に隙間を形成するための型枠を前記基礎側に取付けるための型枠取付治具であって、前記基礎の内側面上に着脱可能に取付けられる治具本体と、この治具本体の下部から側方に突出し、前記型枠の上部を挟持する形状をもつ型枠保持部とを有するものである。
【００１６】
この型枠取付治具によれば、その型枠保持部に前記型枠を保持させた状態で治具本体を基礎内側面に取付けることにより、当該型枠を基礎側に宙吊り状態で支持させることができる。
【００１７】
ここで、前記型枠保持部としては、例えば、前記型枠の上端部を表裏両面から挟持する形状のものが好適である。
【００１８】
また、前記治具本体から前記型枠保持部と反対の側に突出して前記基礎の上面上に載置される上面載置部を有する型枠取付治具によれば、当該上面載置部と基礎上端面との当接によって基礎への型枠取付治具の取付状態をより安定させることができる。
【００１９】
さらに、前記上面載置部に、前記基礎の上面から突出するアンカーボルトが挿通可能なボルト挿通孔が設けられているものによれば、当該アンカーボルトの挿通によって、基礎からの型枠取付治具及び型枠の脱落をより確実に防止することができる。
【００２０】
また本発明は、基礎とその内側に打設される土間コンクリートとの境界部分に防蟻剤が配設される基礎際の防蟻構造であって、前記基礎の内側面から隙間をおいて当該基礎の内側に土間コンクリートが打設されるとともに、当該隙間の底面を覆うように地盤上に防湿シートが敷かれ、この防湿シートの上から前記隙間内に防蟻剤が入れられているものである。
【００２１】
この防蟻構造によれば、前記基礎の内側面と土間コンクリートとの間に形成された隙間内に防蟻剤が入れられることにより、基礎際の防蟻が確実に行われるとともに、前記土間コンクリートの打設によって防湿が行われるのに加え、当該土間コンクリートが打設されていない前記隙間部分すなわち防蟻剤が入れられている部分の防湿も前記防湿シートによって確実に行われる。また、当該防湿シートによって前記防蟻剤と地盤との接触が阻止されることにより、当該地盤に含まれる水分等によって前記防蟻剤が劣化することが抑止される。
【００２２】
また本発明は、基礎とその内側に打設される土間コンクリートとの境界部分に防蟻剤が配設される基礎際の防蟻構造であって、前記基礎の内側面の際に沿って地盤に溝が形成され、その溝内に防蟻剤が入れられるとともに、前記基礎の内側面から隙間をおいて前記溝の上に土間コンクリートが打設され、当該隙間にも防蟻剤が入れられて前記溝内の防蟻剤と連続しているものである。
【００２３】
この防蟻構造によれば、前記地盤に形成された溝から基礎−土間コンクリート間の隙間に至るまでの連続した領域に防蟻剤が入れられることによって、基礎際の防蟻を確実に行うことができる。
【００２４】
また、以上の防蟻構造において前記隙間内、あるいは前記溝内及び前記隙間内に、粒状の防蟻剤が入れられている構造であれば、土間コンクリートの収縮に対応して防蟻剤が流動するため、良好な防蟻状態を継続させることができる。
【００２５】
ここで、前記溝の具体的な形状は問わないが、当該溝の底面が前記基礎の内側面に向かうに従って深くなる向きに傾斜しているものでは、その傾斜によって当該溝内の防蟻剤が積極的に基礎内側面側に寄せられるため、特に基礎際での防蟻をより確実なものにすることができる。
【００２６】
【発明の実施の形態】
本発明の第１の実施の形態を図１及び図２に基づいて説明する。
【００２７】
図１において、地盤１０上に基礎１２が立設されている。この基礎１２は、図例では図の奥行き方向に延びる布基礎であって、その土間側の側面が内側面１２ａとなっている。また、この基礎１２の上端面からは上方にアンカーボルト１４が突出している。
【００２８】
前記基礎１２の内側面１２ａの際の地盤１０には、当該内側面１２ａに沿って延びる溝１１が掘削されている。この溝１１の底面は、前記基礎内側面１２ａに向かうに従って深くなる向きに傾斜している。そして、この溝１１の底面も含めて前記基礎１２よりも内側の領域（土間領域）における地盤１０上に防湿・防蟻シート１６が敷かれ、その基礎側端部が釘１７によって前記溝１１の底部に固定されるとともに、当該防湿・防蟻シート１６の上に土間コンクリート１８が一定の厚みで打設されている。
【００２９】
この防蟻構造においては、前記土間コンクリート１８と基礎内側面１２ａとの間に意図的に一定幅（図例では溝１１の上端幅よりも小さな幅）の隙間３０が確保されており、この隙間３０と前記溝１１とにわたって連続する領域に防蟻剤２０が入れられている。すなわち、前記土間コンクリート１８と基礎内側面１２ａとの境界部分においては溝１１の底部にまで至る領域に防蟻剤２０がムラなく確実に充填された状態となっており、これによって優れた防蟻効果が発揮され得るものとなっている。
【００３０】
また、施工後において隙間３０内への防蟻剤２０の充填状態を確認する作業や、当該施工後に一定の期間をおいて当該隙間３０内へ防蟻剤２０を補充したり当該防蟻剤２０を入れ替えたりする作業も、比較的容易に行うことが可能である。
【００３１】
ここで、前記防蟻剤２０としては、流動性を有するものが好適であり、従来から一般に用いられている液状の防蟻剤であって充填後に半硬化するものであってもよいが、粒状のものであって半永続的に流動性を保持するものであればなお好ましい。このような粒状の防蟻剤を用いれば、施工完了後に土間コンクリート１８が収縮して前記隙間３０が広がってもこれに前記防蟻剤２０が追従するため、理想的な防蟻剤配設状態が維持されることになる。
【００３２】
特に、図例のように溝１１の底面が傾斜している場合には、投入された防蟻剤２０が積極的に基礎内側面１２ａ側に寄せられることにより、基礎際での防蟻効果がより確実なものになる。また、前記土間コンクリート１８の重さによって防蟻剤２０が下方に加圧されることにより、溝１１内での防蟻剤充填密度が高められるという利点を得ることも可能である。
【００３３】
このような粒状の防蟻剤２０を用いる場合、その粒径としては、例えば１〜３ｍｍ程度が好適であり、その粒子の素材としては、無機質粒子（砂、軽石、セオライト、ひる石、珪砂、クレータルク、炭酸カルシウム、ベントナイト、珪藻土、硫酸マグネシウム）、有機質粉粒子（木片、竹片）、合成樹脂（ポリエチレン、ポリプロピレン、ＥＶＡ（エチレン−酢酸ビニルアルコール共重合体）、ＰＶＣ（ポリ塩化ビニル）、ナイロン等）等が挙げられる。このような粒子の表面に適当な防蟻薬剤を溶媒に混入した被覆剤を塗布したり、当該粒子に上記防蟻薬剤を練り込んだりすることにより、好適な粒状の防蟻剤が得られる。
【００３４】
なお、前記防蟻薬剤としては、例えば、ピレスロイド様薬剤（シラフルオフェン、エトフェンプロックス等）、ピレストイド系薬剤（ビフェントリン、サイパーメストン、デルタメスリン、パーメスリン、ペルメスリン、アレスリン、トラロメスリン等）、カーバメント系薬剤（プロボクスル、フェノカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等が挙げられる。
【００３５】
また、前記隙間３０の寸法も適宜設定可能であるが、例えば図１に示されるように深さ方向に幅が均一の隙間３０内に均一粒径１．０ｍｍ程度の粒状の防蟻剤２０を入れるのであれば、隙間３０の寸法は１〜２０ｍｍ程度が好適である。
【００３６】
次に、この基礎際の防蟻構造を施工する方法（すなわち基礎際の防蟻方法）の一例を図２〜図５を併せて参照しながら説明する。
【００３７】
工程１：基礎１２が立設された地盤１０において、当該基礎１２の内側面１２ａの際に溝１１を掘削する（図２（ａ））。この溝１１は、前記のように基礎内側面１２ａに向かうに従って深くなる向きに底面が傾斜したものが好ましいが、当該底面がフラットなものでも防蟻剤２０の充填は可能である。また、本発明方法ではこの溝１１の掘削を適宜省略してもよい。
【００３８】
工程２：溝１１の底面も含めて基礎１２の内側領域における地盤１０上に防湿シート、より好ましくは防蟻剤が含浸された防湿・防蟻シート１６を敷設する（図２（ｂ））。この防湿・防蟻シート１６は、例えばその基礎側端部を釘１７等によって溝１１の底部に固定しておくことがより好ましい。
【００３９】
この防湿・防蟻シート１６の材質としては、ポリプロピレンやポリエチレン等の防湿性を有する合成樹脂に前記防蟻薬剤を混入させたものなどが好適である。また、必ずしも防蟻薬剤を混入させなくてもよく、単なる防湿シートを用いてもよいし、逆に、不織布のように防湿性を有しない母材に殺虫剤等を混入させたものでもよい。あるいは同シート１６を適宜省略してもよい。
【００４０】
防湿・防蟻シート１６の敷設領域は、少なくとも前記溝１１の底面を覆う領域であればよいが、土間部分全体に敷設すればより好ましい防湿・防蟻効果が得られる。また、前記溝１１を省略した場合には、図６に示すように防湿・防蟻シート１６をそのまま地盤上に敷き、その外側端１６ａを基礎内側面１２ａに当接させるようにすればよく、当該防湿・防蟻シート１６によって少なくとも後述の隙間３０の底面を構成する地盤が覆われた状態にあればよい。
【００４１】
工程３：前記溝１１内に防蟻剤２０を入れる（図２（ｃ））。このとき、前記のように当該溝１１の底面を覆うように防湿・防蟻シート１６を敷いておけば、当該溝１１内に入れられる防蟻剤２０と地盤１０との接触を阻止して当該地盤１０に含まれる水分等により防蟻剤２０が劣化することが有効に抑止される。
【００４２】
工程４：基礎１２の内側に土間コンクリート１８を打設する前に型枠２２を設置する（図３（ａ））。この型枠２２は、当該土間コンクリート１８と基礎内側面１２ａとの間に隙間３０を確保するためのものであり、例えば木材等の安価な材料で長尺板状に形成されたものが好適である。この型枠２２は、当該型枠２２と基礎内側面１２ａとの間に隙間２３が確保される位置に配して取付治具２４を介して基礎１２側に取付けるようにする。
【００４３】
この取付治具２４の好適例を図４及び図５に示す。図示の取付治具２４は、長尺の金属板を適宜曲げ加工することにより成形可能なものとなっており、上下方向に延びる治具本体２６と、この治具本体２６の下端から側方に突出する型枠保持部２８と、前記治具本体２６の上端から前記型枠保持部２８と反対の側に突出する上面載置部２７とを一体に有している。
【００４４】
前記上面載置部２７は前記治具本体２６と略直交しており、当該上面載置部２７の中央には前記基礎１２の上端面１２ｂから突出するアンカーボルト１４が挿通可能なボルト挿通孔２７ａが設けられている。このボルト挿通孔２７ａの位置は、同挿通孔２７ａに前記アンカーボルト１４が挿通された状態で前記上面載置部２７及び治具本体２６がそれぞれ基礎１２の上端面１２ｂ及び内側面１２ａに密着できる位置に設定されている。
【００４５】
型枠保持部２８は、前記型枠２２の上部を表裏両側から挟持する形状（側面視二股状）をなし、具体的には、前記型枠２２に対してその裏側面（基礎１２側の面）に当たる左右一対の裏側支持片２８ａと、両裏側支持片２８ａの間の位置で前記型枠２２に対してその表側面（土間側の面）に当たる表側支持片２８ｂとを有している。
【００４６】
これら３つの支持片２８ａ，２８ｂは、その基部が前記治具本体２６の下端から互いに同じ向きに略直角に屈曲するとともに、裏側支持片２８ａにおいては前記屈曲位置から比較的近い位置で逆向き（下向き）に屈曲し、表側支持片２８ｂにおいては前記屈曲位置から比較的遠い位置で下向きに屈曲する形状を有している。そして、これら支持片２８ａ，２８ｂの間に下側から型枠２２の上端部を差し込むことにより、当該型枠２２の上端部を両支持片２８ａ，２８ｂが挟持する状態が得られるようになっている。
【００４７】
このようにして型枠保持部２８により型枠２２の上部を挟持した状態で前記治具本体２６及び上面載置部２７をそれぞれ基礎１２の内側面１２ａ及び上端面１２ｂに密着させることにより、型枠２２を宙吊り状態で基礎１２側に支持することができる。
【００４８】
このとき、前記治具本体２６や上面載置部２７は粘着テープなどで基礎１２側に一時的に固定するようにしてもよいが、型枠保持部２８の突出長さに比べて治具本体２６及び上面載置部２７が十分長い場合には、上面載置部２７と基礎上端面１２ｂとの摩擦力のみで取付治具２４を基礎１２側に係止しておくことが可能である。前記治具本体２６の長さ寸法は、その下端の型枠保持部２８により保持される型枠２２の下端面が図示のように溝１１内に入れられた防蟻剤２０の上面に接する程度の寸法に設定するのが好ましい。
【００４９】
なお、この取付治具２４は例えばプラスチックにより全体を一体成形したものでもよい。型枠保持部２８についても、図示の形状に限られるものではなく、例えば型枠２２の高さ寸法が比較的小さい場合には当該型枠２２を上下から挟持するような形状のものでもよい。
【００５０】
また、地盤１０側が比較的平坦で安定している場合（特に溝１１を施工しない場合）には、前記取付治具２４を用いずに当該地盤１０側に型枠２２を立て置きするようにしてもよい。この場合も、型枠２２と基礎内側面１２ａとの間に隙間２３を確保することが好ましいが、その隙間２３側に型枠２２が倒れないように当該隙間２３内に適当なスペーサを介在させておくことが、より好ましい。
【００５１】
工程５：型枠２２よりも内側の領域（土間領域）に流動状態のコンクリートを注入し、その後時間をおいて硬化させることにより、当該領域に土間コンクリート１８を形成する（図３（ｂ））。このとき、土間コンクリート１８の上面が前記型枠２２の上端よりも低くなるように前記流動状態のコンクリートの注入高さを設定する。
【００５２】
工程６：土間コンクリート１８の打設後、当該土間コンクリート１８から前記型枠２２を剥離させる（取付治具２４を使用している場合には当該治具２４も撤去する。）。これにより、当該土間コンクリート１８と基礎内側面１２ａとの間には前記型枠２２の厚み分に前記隙間２３の大きさを加えた大きさに相当する隙間３０が形成されることになる（図３（ｃ））。
【００５３】
ここで、前記土間コンクリート１８の硬化が完了した時点では、当該土間コンクリート１８の上面よりも前記型枠２２の上端部が上側に突出した状態にあるので、その突出部分（上端部）を土間側（図３（ｂ）では右側）から叩く等して当該突出部分に衝撃を与えることにより、前記型枠２２を前記土間コンクリート１８から基礎１２側へ難なく剥離させることができる。
【００５４】
工程７：前記隙間３０内に防蟻剤２０を入れてその下方の溝１１内における防蟻剤２０と連続させる。これにより、前記図１に示した好適な防蟻構造を完成させることができる。
【００５５】
なお、前記図６に示したように溝１１の形成を省略した場合には、隙間３０内にのみ防蟻剤２０が入れられた構造となるが、いずれの構造においても、溝１１の底面または隙間３０の底面を覆うように地盤１０上に防湿シート（より好ましくは防湿・防蟻シート）１６を敷いておけば、土間コンクリート１８が打設されていない隙間３０の部分においても良好な防湿効果を確保することが可能になる。
【００５６】
以上は、前記隙間３０として深さ方向に幅が略均一なものを形成した例であるが、その前記工程４において前記図３（ａ）に示すように型枠２２を鉛直状態で設置するのではなく、図７（ａ）に示すように当該型枠２２をその上端が土間側（図では右側）に傾くように保持するように前記取付治具２４を形成したり、当該型枠２２としてその内側面が同様に傾斜したものを用いたりすることにより、最終的に図７（ｂ）に示すように下方に向かうに従って基礎内側面１２ａと土間コンクリート１８との距離が縮まる形状の隙間３０を形成するようにすれば、当該隙間３０内への防蟻剤２０の投入をより円滑に行うことが可能になる。
【００５７】
また、図７（ａ）に示すように型枠２２の下側の角部が基礎内側面１２ａに当たるように当該型枠２２が設置したとしても、その上側で型枠２２と基礎内側面１２ａとの間に隙間２３が確保されていれば、前記と同様に型枠２２の上端部に対して土間側から衝撃を与えることにより当該型枠２２を土間コンクリート１８から簡単に剥離させることができる。
【００５８】
【発明の効果】
以上のように、本発明に係る防蟻方法によれば、基礎内側面と土間コンクリートとの間にムラなく確実に防蟻剤を入れることができ、これにより優れた防蟻効果を得ることができる。
【００５９】
特に、本発明に係る型枠取付治具を使用した場合には、前記基礎内側面と土間コンクリートとの間に意図的に隙間を確保するための型枠を容易にかつ安定した状態で基礎側に支持させることができる。
【００６０】
また、本発明に係る防蟻構造によれば、地盤側に形成された溝から基礎−土間コンクリート間の隙間に至るまでの連続した領域に防蟻剤が配設されているため、特に基礎際の防蟻をより確実なものにすることができ、施工後の防蟻剤の配設状態も比較的容易に確認することができる。
【図面の簡単な説明】
【図１】本発明の実施の形態にかかる基礎際の防蟻構造を示す断面図である。
【図２】（ａ）（ｂ）（ｃ）は前記防蟻構造を施工する方法に含まれる前半工程を示す断面図である。
【図３】（ａ）（ｂ）（ｃ）は前記防蟻構造を施工する方法に含まれる後半工程を示す断面図である。
【図４】前記防蟻構造を施工する方法において使用される型枠取付治具の斜視図である。
【図５】前記型枠取付治具の使用状態を示す斜視図である。
【図６】地盤に形成される溝を省略した防蟻構造を示す断面図である。
【図７】（ａ）（ｂ）は地盤に向かうに従って基礎内側面と土間コンクリートとの距離が縮まる形状の隙間をもつ防蟻構造を施工する方法に含まれる工程を示す断面図である。
【符号の説明】
１０  地盤
１２  基礎
１２ａ  基礎内側面
１２ｂ  基礎上端面
１４  アンカーボルト
１８  土間コンクリート
２０  防蟻剤
２２  型枠
２３  型枠と基礎内側面との間に形成される隙間
２４  型枠取付治具
２６  治具本体
２７  上面載置部
２７ａ  ボルト挿通孔
２８  型枠保持部
３０  土間コンクリートと基礎内側面との間に確保される隙間
【図１】
2004308353.tif 000003
【図２】
2004308353.tif 000004
【図３】
2004308353.tif 000005
【図４】
2004308353.tif 000006
【図５】
2004308353.tif 000007
【図６】
2004308353.tif 000008
【図７】
2004308353.tif 000009